(57)【要約】【課題】コードロックを容易かつ適切にコードロックの利用対象物の所定の位置に止着できるようにする。【解決手段】筒状をなす雌部材１０と、この雌部材１０の筒軸線に沿って移動可能な状態で一部を納めて組み合わされる雄部材１２と、この雄部材１２を雌部材１０内から抜け出させる向きに付勢する付勢手段１４とを有すると共に、雌部材１０と雄部材１２とにそれぞれ紐Ｗの通し穴１１、１３を備えたコードロック１であって、このコードロック１における雌部材１０に、縫着可能な材料からなる縫着用片部１５が備えられている。【選択図】図１
2005058583.tif 000002
【特許請求の範囲】
【請求項１】
筒状をなす雌部材と、この雌部材の筒軸線に沿って移動可能な状態で一部を納めて組み合わされる雄部材と、この雄部材を雌部材内から抜け出させる向きに付勢する付勢手段とを有すると共に、雌部材と雄部材とにそれぞれ紐の通し穴を備えたコードロックであって、
このコードロックにおける雌部材に、縫着可能な材料からなる縫着用片部が備えられていることを特徴とするコードロック。
【請求項２】
縫着用片部に、薄肉部が形成されており、この薄肉部をもって縫着対象物に対する縫着をなすようにしてあることを特徴とする請求項１記載のコードロック。
【請求項３】
筒状をなす雌部材と、この雌部材の筒軸線に沿って移動可能な状態で一部を納めて組み合わされる雄部材と、この雄部材を雌部材内から抜け出させる向きに付勢する付勢手段とを有すると共に、雌部材と雄部材とにそれぞれ紐の通し穴を備えたコードロックの全部又は一部を納める収納部と、
縫着可能な材料からなる縫着用片部とを備えていることを特徴とするコードロックホルダー。
【請求項４】
縫着用片部に、薄肉部が形成されており、この薄肉部をもって縫着対象物に対する縫着をなすようにしてあることを特徴とする請求項３記載のコードロックホルダー。
【請求項５】
絞り紐や引き締め紐などの紐によって締め込まれる箇所を備えた物品であって、
物品又は物品の構成材の表裏を貫通する一対の紐の通し部を有すると共に、
前記紐を、この一対の紐の通し部の一方から物品の一面側に引き出させた後、引き出させた紐をこの一対の紐の通し部の他方から物品の他面側に引き込ませてこの他面側に引き込まされた紐を物品に止着するようにして備えており、
この一対の紐の通し部間に亘る紐に、請求項１若しくは請求項２記載のコードロック又は請求項３若しくは請求項４記載のコードロックホルダーの収納部に納められたコードロックを備えさせていると共に、
このコードロック又はコードロックホルダーによって一対の紐の通し部の一方が覆われるように、このコードロック又はコードロックホルダーを縫着させていることを特徴とする絞り紐や引き締め紐などの紐によって締め込まれる箇所を備えた物品。
【発明の詳細な説明】
【技術分野】
【０００１】
この発明は、利用対象物に対し紐に通されたコードロックを容易に止着させることができるようにしたコードロック、コードロックの利用対象物に対し紐に通されたコードロックを容易に止着させることができるようにしたコードロックホルダー、および、こうした紐に通されたコードロックを備えていると共に、このコードロックの誤操作を生じさせ難くした構造を有する絞り紐や引き締め紐などの紐によって締め込まれる箇所を備えた物品の改良に関する。
【背景技術】
【０００２】
各種の物品の開口などを絞る絞り紐Ｗなどの引き出し端側には、この紐Ｗを通した状態でこの紐Ｗに留め付けられると共に、この留め付けを解く操作によってこの紐Ｗに沿ってこの紐Ｗの所望の位置まで移動操作可能に構成されたコードロック２００がしばしば備えられている。
【０００３】
図１０は、ヨットパーカー１００’のフード１０１の開口１０２を巡る絞り紐Ｗの引き出し端側にこうしたコードロック２００を備えさせた例を示している。
【０００４】
従来は、かかるコードロック２００は、紐Ｗを通してこの紐Ｗに備えられる一方で、この紐Ｗが用いられる物品、図１０の例であればパーカー１００’自体には止着される構造を備えていない。
【０００５】
しかし、例えば、図１０の例のような場合には、こうした紐Ｗが備えられる物品自体に、こうした紐Ｗを通した状態で、コードロック２００を止着させることが物品の使用価値をより高めることともなり得る。
【０００６】
すなわち、図１０の例の場合にあっては、パーカー１００’の襟口に形成された上部はと目１０３と下部はと目１０４との間に引き出された紐Ｗにコードロック２００が備え付けられている。パーカー１００’のフード１０１の開口１０２を絞るためには、コードロック２００と下部はと目１０４との間の紐Ｗの長さを長くするように引っ張ってコードロック２００を留め付け直す必要があるが、この例にあっては誤ってコードロック２００と上部はと目１０３との間の紐Ｗを引っ張ってコードロック２００を留め付け直してしまう可能性もある。この例において、上部はと目１０３がコードロック２００によって覆われるようにコードロック２００がパーカー１００’に止着されていれば、このようなコードロック２００の誤操作は生じることはなくなる。
【発明の開示】
【発明が解決しようとする課題】
【０００７】
この発明が解決しようとする主たる問題点は、第一に、コードロックを容易かつ適切にコードロックの利用対象物の所定の位置に止着できるようにする点にある。
【０００８】
また、第二に、既存のコードロックを容易かつ適切にコードロックの利用対象物の所定の位置に位置づけさせることができるようにする点にある。
【０００９】
また、第三に、コードロックの備えられた絞り紐などを有する物品において、このコードロックの誤操作を生じさせ難くする点にある。
【課題を解決するための手段】
【００１０】
前記第一の問題点を解決するために、この発明にあってはコードロックを、
筒状をなす雌部材と、この雌部材の筒軸線に沿って移動可能な状態で一部を納めて組み合わされる雄部材と、この雄部材を雌部材内から抜け出させる向きに付勢する付勢手段とを有すると共に、雌部材と雄部材とにそれぞれ紐の通し穴を備えたコードロックであって、
このコードロックにおける雌部材に、縫着可能な材料からなる縫着用片部が備えられていることを特徴とするものとした。
また、この場合にはさらに、縫着用片部に、薄肉部を形成させ、この薄肉部をもって縫着対象物に対する縫着をなすようにしておくこともできる。
【００１１】
かかる構成によれば、前記縫着用片部をもって縫着対象物に対し、コードロックを容易に止着させることができる。
【００１２】
また、かかる縫着用片部に、薄肉部を形成されておき、この薄肉部をもって縫着対象物に対する縫着をなすようにしておけば、縫着対象物に対し一層容易にコードロックを止着させることができる。
【００１３】
また、前記第二の問題点を解決するために、この発明にあってはコードロックホルダーを、
筒状をなす雌部材と、この雌部材の筒軸線に沿って移動可能な状態で一部を納めて組み合わされる雄部材と、この雄部材を雌部材内から抜け出させる向きに付勢する付勢手段とを有すると共に、雌部材と雄部材とにそれぞれ紐の通し穴を備えたコードロックの全部又は一部を納める収納部と、
縫着可能な材料からなる縫着用片部とを備えていることを特徴とするものとした。
また、この場合にはさらに、縫着用片部に、薄肉部を形成させ、この薄肉部をもって縫着対象物に対する縫着をなすようにしておくこともできる。
【００１４】
かかるコードロックホルダーは、その縫着用片部によって、縫着対象物に容易に縫着させることができる。そして、このように縫着されたコードロックホルダーの収納部にコードロックを納めさせることにより、このコードロックを縫着対象物の所定の箇所に常時位置づけさせることができる。かかるコードロックホルダーによれば、既存のコードロックをコードロックホルダーに納めるだけで、かかるコードロックを縫着対象物の所定の箇所に常時位置づけさせることができる特長を有する。
【００１５】
また、コードロックホルダーにおける縫着用片部に、薄肉部を形成させ、この薄肉部をもって縫着対象物に対する縫着をなすようにしておけば、縫着対象物に対し一層容易かつ適切にコードロックホルダーを止着させることができる。
【００１６】
また、前記第三の問題点を解決するために、この発明にあっては絞り紐や引き締め紐などの紐によって締め込まれる箇所を備えた物品を、
絞り紐や引き締め紐などの紐によって締め込まれる箇所を備えた物品であって、
物品又は物品の構成材の表裏を貫通する一対の紐の通し部を有すると共に、
前記紐を、この一対の紐の通し部の一方から物品の一面側に引き出させた後、引き出させた紐をこの一対の紐の通し部の他方から物品の他面側に引き込ませてこの他面側に引き込まされた紐を物品に止着するようにして備えており、
この一対の紐の通し部間に亘る紐に、前記コードロック又は前記コードロックホルダーの収納部に納められたコードロックを備えさせていると共に、
このコードロック又はコードロックホルダーによって一対の紐の通し部の一方が覆われるように、このコードロック又はコードロックホルダーを縫着させていることを特徴とするものとした。
【００１７】
かかる構成によれば、前記一対の紐の通し部の一方が物品の一面側において止着されたコードロック又はコードロックホルダーによって覆われていることから、コードロックによる紐の留め付けを解いた場合、コードロックと一対の紐の通し部の他方との間にある紐の長さを長めるか、短くするかの調整しかなすことができない。すなわち、この間にある紐を長めてコードロックを留め付け直す調整を誤りなく行え、また、この間にある紐を短くしてコードロックを留め付け直す調整を誤りなく行える。
【発明の効果】
【００１８】
この発明にかかるコードロックによれば、コードロックを容易かつ適切にコードロックの利用対象物の所定の位置に止着することができる。
【００１９】
この発明にかかるコードロックホルダーによれば、既存のコードロックを容易かつ適切にコードロックの利用対象物の所定の位置に位置づけさせることができる。
【００２０】
この発明にかかる絞り紐や引き締め紐などの紐によって締め込まれる箇所を備えた物品によれば、コードロックの備えられたかかる絞り紐などを有するかかる物品の使用において、このコードロックの誤操作を生じさせ難くすることができる。
【発明を実施するための最良の形態】
【００２１】
以下、図１ないし図９に基づいて、この発明を実施するための最良の形態について説明する。
【００２２】
なお、ここで図１は、コードロック１の構成の概要をこのコードロック１を構成する雌部材を断面にして示している。
【００２３】
また、図２ないし図８は、コードロックホルダー２をそれぞれ示しており、特に、図７は、コードロックホルダー２に納めたコードロック２００の雄部材２２０を押圧操作して紐Ｗへの留め付けを解いた状態を、図８は、かかる紐Ｗにコードロック２００が留め付けられた状態をそれぞれ示している。
【００２４】
また、図９は、絞り紐Ｗによって締め込まれる箇所を備えた物品３の一例を示している。
【００２５】
この実施の形態にかかるコードロック１は、コードロック１の利用対象物に対し、紐Ｗに通されたコードロック１を容易に止着させることができるようにしたものである。
【００２６】
また、この実施の形態にかかるコードロックホルダー２は、コードロック２００の利用対象物に対し、かかるコードロックホルダー２を介して紐Ｗに通されたコードロック２００を容易に止着させることができるようにしたものである。
【００２７】
また、この実施の形態にかかる絞り紐Ｗや引き締め紐Ｗなどの紐Ｗによって締め込まれる箇所を備えた物品３は、こうした紐Ｗに通されたコードロック１、２００を備えていると共に、このコードロック１、２００の誤操作を生じさせ難くした構造を有するものである。
【００２８】
（コードロック１）
前記コードロック１は、
（１）筒状をなす雌部材１０と、
（２）この雌部材１０の筒軸線に沿って移動可能な状態で一部を納めて組み合わされる雄部材１２と、
（３）この雄部材１２を雌部材１０内から抜け出させる向きに付勢する付勢手段１４とを有すると共に、
（４）雌部材１０と雄部材１２とにそれぞれ紐Ｗの通し穴１１、１３を備えたものとして構成される。
（５）それと共に、このコードロック１における雌部材１０には、縫着可能な材料からなる縫着用片部１５が備えられている。
【００２９】
かかる紐Ｗとしては、丸紐Ｗや、帯状をなす紐Ｗなどが予定される。また、かかる紐Ｗは、ゴムまたは軟質の合成樹脂から構成されていることもある。
【００３０】
かかるコードロック１は、雄部材１２の通し穴１３と雌部材１０の通し穴１１とが連通し合う位置まで付勢手段１４の付勢に抗して雌部材１０内に雄部材１２を押し込ませた状態において、両通し穴１１、１３に通すことにより、前記紐Ｗに備え付けられる。
【００３１】
このように紐Ｗに備え付けられたコードロック１は、付勢手段１４の付勢によりこの紐Ｗに留め付く。この付勢手段１４の付勢に抗して雄部材１２を雌部材１０内に押し込むとこの留め付けが解かれ、紐Ｗに沿って所望の位置までコードロック１を相対的に移動させることができるようになる。
【００３２】
また、かかるコードロック１における雌部材１０には、縫着可能な材料からなる縫着用片部１５が備えられていることから、この縫着用片部１５をもって縫着対象物１００に対し、コードロック１を容易に止着させることができる。
【００３３】
典型的には、縫着用片部１５を軟質の合成樹脂によって形成させることにより、この縫着用片部１５の容易な縫着が可能となる。
【００３４】
かかる縫着用片部１５に、薄肉部１６を形成されておき、この薄肉部１６をもって縫着対象物１００に対する縫着をなすようにしておくこともできる。
【００３５】
このようにしておけば、縫着対象物１００に対し一層容易にコードロック１を止着させることができる。
【００３６】
（コードロックホルダー２）
前記コードロックホルダー２は、
（１）筒状をなす雌部材２１０と、この雌部材２１０の筒軸線に沿って移動可能な状態で一部を納めて組み合わされる雄部材２２０と、この雄部材２２０を雌部材２１０内から抜け出させる向きに付勢する付勢手段２３０とを有すると共に、雌部材２１０と雄部材２２０とにそれぞれ紐Ｗの通し穴２１１、２２１を備えたコードロック２００の全部又は一部を納める収納部２０と、
（２）縫着可能な材料からなる縫着用片部２２とを備えている。
【００３７】
かかるコードロックホルダー２は、その縫着用片部２２によって、縫着対象物１００に容易に縫着させることができる。そして、このように縫着されたコードロックホルダー２の収納部２０にコードロック２００を納めさせることにより、このコードロック２００を縫着対象物１００の所定の箇所に常時位置づけさせることができる。かかるコードロックホルダー２によれば、既存のコードロック２００をコードロックホルダー２に納めるだけで、かかるコードロック２００を縫着対象物１００の所定の箇所に常時位置づけさせることができる特長を有する。
【００３８】
図示の例にあっては、かかるコードロックホルダー２の収納部２０は、有底の筒状をなすように構成されている。
【００３９】
また、かかるコードロックホルダー２の縫着用片部２２は、この収納部２０の筒軸方向に沿った両側部においてそれぞれ、この側部に一辺を一体に連接させるようにして側方に突き出す板状をなすように構成されている。収納部２０の一方の側部側に形成された縫着用片部２２と収納部２０の他方の側部側に形成された縫着用片部２２とはその背面を同面上に位置させるようになっており、また、これらの背面と収納部２０の背面とも同面上に位置されるようになっている。そして図示の例にあっては、これらの背面を縫着対象物１００の外面などに密着させるようにして、かかる縫着用片部２２に施される縫着によりコードロックホルダー２をこの縫着対象物１００に止着させるようになっている。この縫着を容易にする観点からは、コードロックホルダー２をゴム又は軟質の合成樹脂から構成することが好ましい。また、図示の例にあっては、収納部２０の正面は、縫着用片部２２の正面よりも前方に位置されるようになっている。また、収納部２０の底の外面は開口側に向けてやや窪んでおり、この窪みに指の腹を押し当てさせた状態で、収納部２０の開口から後述のように突き出されるコードロック２００の雄部材２２０の頭部の押圧操作を都合良くなせるようになっている。
【００４０】
図示の例では、雌部材２１０と、雄部材２２０と、付勢手段２３０とを備えてなるコードロック２００がかかるコードロックホルダー２の収納部２０に納められるようになっている。
【００４１】
図示の例では、かかる雌部材２１０は、筒状をなすように構成されている。この雌部材２１０の対向する側部には、紐Ｗの通し穴２１１がそれぞれ貫通状態に設けられている。
【００４２】
また雄部材２２０は、かかる雌部材２１０にこの雌部材２１０の筒軸線に沿って移動可能な状態で一部を納めて組み合わされている。また、この雄部材２２０には、この雄部材２２０の移動方向に交叉する向きに、紐Ｗの通し穴２２１が貫通状態に設けられている。
【００４３】
付勢手段２３０は、かかる雄部材２２０を雌部材２１０内から抜け出させる向きに付勢させるように構成されている。
【００４４】
雄部材２２０の通し穴２２１と雌部材２１０の通し穴２１１とは、この付勢手段２３０の付勢に抗する向きに雄部材２２０を雌部材２１０内に押し込ませた状態において、両通し穴２１１、２２１に紐Ｗを通せるように連通し合うようになっている。
【００４５】
図示の例にあっては、雌部材２１０は有底の筒状をなすように構成され、雄部材２２０は軸状をなすように構成されている。雄部材２２０における雌部材２１０内に入り込んだ軸端には、波形に屈曲された弾性帯体２３１の一端が一体に接合されており、この弾性帯体２３１はその他端を雌部材２１０の底に常時押しつけさせた状態でその屈曲を強める向への弾性変形を可能とするように構成されている。すなわち、図示の例にあっては、この弾性帯体２３１が前記付勢手段２３０として機能するようになっている。かかる付勢手段２３０としては、圧縮コイルバネなどの雄部材２２０と別体の弾性体を用いることもできる。
【００４６】
かかるコードロック２００は、雄部材２２０の通し穴２２１と雌部材２１０の通し穴２１１とが連通し合う位置まで付勢手段２３０の付勢に抗して雌部材２１０内に雄部材２２０を押し込ませた状態において、両通し穴２１１、２２１に前記紐Ｗを通すことにより、この紐Ｗに備え付けられるようになっているが、図示の例にあっては、コードロックホルダー２の収納部２０における対向する側部、具体的には、この収納部２０の正面と背面とにそれぞれ紐Ｗの通し穴２１が設けられており、さらに、この収納部２０にコードロック２００を雌部材２１０の有底側を先にして入れ込ませ切った位置で、このコードロックホルダー２の通し穴２１と雌部材２１０の通し穴２１１とが連通し合うようになっており、図示の例にあっては、コードロックホルダー２の収納部２０にコードロック２００を入れ込み切らせた状態から雄部材２２０の通し穴２２１と雌部材２１０の通し穴２１１とが連通し合う位置まで付勢手段２３０の付勢に抗して雌部材２１０内に雄部材２２０を押し込ませ、この押し込み状態において互いに連通し合う各通し穴２１、２１１、２２１に前記紐Ｗを通すことにより、この紐Ｗに備え付けられるようになっている。図示の例にあっては、コードロックホルダー２の収納部２０の底から開口までの寸法は、雌部材２１０の底から開口までの寸法とほぼ等しく、コードロックホルダー２の収納部２０にコードロック２００を入れ込み切らせた状態において、この収納部２０の開口から雄部材２２０の頭部２２２が突き出し、この突き出した頭部２２２を利用して前記のように付勢手段２３０の付勢に抗した雄部材２２０の押し込み操作を支障なくなせるようになっている。
【００４７】
縫着対象物１００に備えられた絞り紐Ｗなどの紐Ｗをコードロック２００とコードロックホルダー２とに前記のように通した状態で、この縫着対象物１００に縫着用片部２２をもってコードロックホルダー２を止着させることにより、コードロック２００は縫着対象物１００の所定の箇所に位置づけられる。コードロックホルダー２に納められたコードロック２００は、付勢手段２３０の付勢によりこのように通された紐Ｗに留め付く。この付勢手段２３０の付勢に抗して雄部材２２０を雌部材２１０内に押し込むとこの留め付けが解かれ、紐Ｗに沿って所望の位置までコードロック２００を相対的に移動させることができるようになる。
【００４８】
また、図示の例にあっては、コードロックホルダー２における縫着用片部２２に、薄肉部２３を形成させており、この薄肉部をもって縫着対象物１００に対する縫着をなすようにしてある。
【００４９】
具体的には、図示の例にあっては、一対の縫着用片部２２のそれぞれにおいて、その正面部であって収納部２０と連接された辺とこれに対向する辺との間に、収納部２０の筒軸線に沿って長く延び、かつ、両溝端を外方に開放させた溝状部２４が形成されており、この溝状部２４によって一対の縫着用片部２２、２２のそれぞれに細長い薄肉部２３が形成されている。そして、この薄肉部２３の延長方向に沿った縫着を施すことにより、コードロックホルダー２が縫着対象物１００に止着されるようになっている。
【００５０】
これにより図示の例にあっては、縫着対象物１００に対し一層容易かつ適切にコードロックホルダー２を止着させることができるようになっている。
【００５１】
（絞り紐Ｗや引き締め紐Ｗなどの紐Ｗによって締め込まれる箇所を備えた物品３）
前記絞り紐Ｗや引き締め紐Ｗなどの紐Ｗによって締め込まれる箇所を備えた物品３は、
（１）物品３又は物品３の構成材の表裏を貫通する一対の紐Ｗの通し部３０、３０を有すると共に、
（２）前記紐Ｗを、この一対の紐Ｗの通し部３０、３０の一方から物品３の一面側に引き出させた後、引き出させた紐Ｗをこの一対の紐Ｗの通し部３０、３０の他方から物品３の他面側に引き込ませてこの他面側に引き込まされた紐Ｗを物品３に止着するようにして備えており、
（３）この一対の紐Ｗの通し部３０間に亘る紐Ｗに、前記コードロック１又は前記コードロックホルダー２の収納部２０に納められたコードロック２００を備えさせていると共に、
（４）このコードロック１又はコードロックホルダー２によって一対の紐Ｗの通し部３０の一方が覆われるように、このコードロック１又はコードロックホルダー２を縫着させている。
【００５２】
こうした物品３としては、各種の衣服、手袋、かばん、袋物などが予定される。また、前記絞り紐Ｗや引き締め紐Ｗなどの紐Ｗとしては、これらの物品３の開口などを巡るように形成された玉縁部内などに紐Ｗ端部を抜き出させた状態で通されるなどして備えられ、こうした開口などを巡る紐Ｗの長さを変えることによって、つまり、抜き出される紐Ｗの長さを調整することにより、こうした開口などを絞ったり広げさせたりするものが予定される。
【００５３】
図９は、ヨットパーカー１００’のフード１０１の開口１０２を巡る絞り紐Ｗに、前述したコードロック２００をコードロックホルダー２に納めさせた状態で備え付けさせた例を示している。
【００５４】
かかる例にあっては、前記一対の紐Ｗの通し部３０の一方が物品３の一面側において止着されたコードロックホルダー２によって覆われている。すなわち、この一方の紐Ｗの通し部３０から抜き出された紐Ｗはコードロックホルダー２に保持されて物品３、つまり、パーカー１００’の表側に位置づけられたコードロック２００を通って引き出された後に、一対の紐Ｗの通し部３０の他方からパーカー１００’の裏側に引き込まれ、パーカー１００’に紐端部を止着されている。（止着部を符号３１で示す。）この結果、コードロック２００による紐Ｗの留め付けを解いた場合、コードロック２００と一対の紐Ｗの通し部３０の他方との間にある紐Ｗの長さを長めるか、短くするかの調整しかなすことができない。すなわち、かかる例にあっては、この間にある紐Ｗを長めてフード１０１の開口１０２を絞る調整を誤りなく行え、また、この間にある紐Ｗを短くしてフード１０１の開口１０２を広げる調整を誤りなく行える。
【図面の簡単な説明】
【００５５】
【図１】コードロック１の断面構成図
【図２】コードロックホルダー２およびこのコードロックホルダー２に入れ込み保持されるコードロック２００の正面図
【図３】コードロックホルダー２の側面図およびこのコードロックホルダー２に入れ込み保持されるコードロック２００の側断面図
【図４】コードロックホルダー２の背面図
【図５】同平面図
【図６】同底面図
【図７】同使用状態を示す側断面図
【図８】同使用状態を示す側断面図
【図９】絞り紐Ｗによって締め込まれる箇所を備えた物品３（パーカー１００’）にコードロック２００を納めたコードロックホルダー２を止着させた状態を示す要部正面構成図
【図１０】従来例を示した正面構成図
【符号の説明】
【００５６】
１  コードロック
１０  雌部材
１１  通し穴
１２  雄部材
１３  通し穴
１４  付勢手段
１５  縫着用片部
【図１】
2005058583.tif 000003
【図２】
2005058583.tif 000004
【図３】
2005058583.tif 000005
【図４】
2005058583.tif 000006
【図５】
2005058583.tif 000007
【図６】
2005058583.tif 000008
【図７】
2005058583.tif 000009
【図８】
2005058583.tif 000010
【図９】
2005058583.tif 000011
【図１０】
2005058583.tif 000012